(57)【特許請求の範囲】
【請求項１】
建わく２の脚柱８に掛止せしめるべく所要長の棒鋼材を折曲して略Ｕ字形状に形成された建わく用掛止体３２と、該掛止体３２のＵ字形部分がなす平面に直交する２平面上に両自由端を各々略Ｕ字形状に折曲して一体形成された両側一対の梁わく用受体３３と、該両側の受体３３に各々外方突出状に固着された両側一対のボルト挿通孔３５付き締結プレ−ト３４と、掛止体３２及び脚柱８と共に梁わく１を囲繞して両側の締結プレ−ト３４に各々締結せしめるべく所要の開口幅を備えたナット３７付きＵボルト３６とより構成されてなることを特徴とする、梁わく用取付け金具。
【発明の詳細な説明】
【０００１】
【発明の属する技術分野】
この発明は、各種建築作業用仮設足場の構築時において、梁わくを所要の建わくに取付けるさいに使用する梁わく用取付け金具に関する。
【０００２】
【従来の技術、及び発明が解決しようとする課題】
従来より、各種の建築作業時においては種々の仮設足場が構築され、好適に使用されている。そして、例えば、出入口など所要の開口部を有する仮設足場を構築せしめるさいには、図３に示すように、開口部位に梁わく１を架設せしめつつ所要数の門型建わく２を交さ筋かい３でもって連結すると共に、隣あう建わく２間に床付き布わく４を架設せしめつつ連結用ア−ムロックレスピン５を介して順次上方に連結し、所定の個所に階段６や手摺７など所要の足場部材を取付けて構築するものとされている。
【０００３】
ところで、かかる架設足場を構成する梁わく１を建わく２間に架設支持せしめるさいには、図４に示す取付け金具１１が知られており、これを同図に基づいて説明する。
即ち、同図中、１２は建わく２を構成する脚柱８を挿通せしめるべく所要の間隙をもって平行配設された両側一対の板状ア−ム、１３は該ア−ム１２の一端部を各々折曲して略Ｕ字形状に一体形成された両側一対の梁わく用受体、１４は同ア−ム１２の他端部に横架状に取付けられた広幅状の当て板で、該当て板１４は建わく２を構成する横架材９に当接せしめるべく湾曲状に形成されている。１５は両側受体１３のほぼ中位に各々形成されたボルト挿通孔、１６は該ボルト挿通孔１５を通して建わく２の脚柱８と共に梁わく１端部を囲繞しつつ受体１３に締結せしめるナット１７付きＵボルトである。
【０００４】
そして、上述の如く構成された取付け金具１１は、ア−ム１２間に建わく２の脚柱８上端部を挿通せしめると共に、当て板１４を同横架材９に嵌合状態に当てがったのち、受体１３に梁わく１の一端部を嵌合保持せしめる。しかるのち、脚柱８と共に梁わく１の一端部をＵボルト１６で囲繞せしめると共に、Ｕボルト１６の両端部を各々ボルト挿通孔１５に挿通せしめ、のち、ナット１７を螺合して締結することにより取付けるものとされている（図５参照）。
【０００５】
しかしながら、上述の如く構成された取付け金具１１は、その当て板１４が広幅状に形成されているから、例えば、６００幅の建わく２に５００幅の床付き布わく４を取付けるさいには、図５に示すように、当て板１４が邪魔となって床付き布わく４を取付けることが出来ないという問題が生じるものである。
【０００６】
かかる取付け金具１１の問題点を解決するものとして、図７に示すように、ア−ム２２を短尺状に形成せしめると共に、該ア−ム２２の一端面に広幅状の当て板２４を垂直状に取付けた取付け金具２１が提案されている。なお、その他は上記従来例と同一であり、同一符号は同一部分を示す。
【０００７】
しかしながら、上述の如く構成された取付け金具２１は、６００幅の建わく２に５００幅の床付き布わく４を確実に取付けることが出来る反面、図８に示すように、当て板２４の上端部が連結用ア−ムロックレスピン５のロック解除ハンドル１０に当接し、ひいては、ロック解除ハンドル１０の解除操作が出来ないという問題を有するものである。
このため、ロック解除ハンドル１０への当接を防止すべく当て板を狭幅状に形成することが考えられるが、当て板を狭幅状にした場合には強度的に問題があり、仮設足場構築時等における取扱いが荒いこととも相まって非常に損傷しやすいものである。
【０００８】
なお、上記の取付け金具１１・２１は、両者とも板金加工により製作するものとされているから、その製作が非常に面倒で手間がかかるのみならず、強度をもたすために比較的広幅状に形成せざるを得ず、ひいては、重量が大となって持ち運びや取付け作業時の取扱いが非常に不便なものとなっているものである。
【０００９】
この発明は、従来の問題点を一挙に解決しようとするもので、常に床付き布わくの取付けや連結用ア−ムロックレスピンにおけるロック解除操作を邪魔することなく梁わくを確実に取付けることが出来るのみならず、軽量で持ち運びや取扱等に至便であり、しかも、製作が容易で安価に提供することが出来る梁わく用取付け金具を提供するにある。
【００１０】
【課題を解決するための手段】
即ち、この発明は、建わく２の脚柱８に掛止せしめるべく所要長の棒鋼材を折曲して略Ｕ字形状に形成された建わく用掛止体３２と、該掛止体３２のＵ字形部分がなす平面に直交する２平面上に両自由端を各々略Ｕ字形状に折曲して一体形成された両側一対の梁わく用受体３３と、該両側の受体３３に各々外方突出状に固着された両側一対のボルト挿通孔３５付き締結プレ−ト３４と、掛止体３２及び脚柱８と共に梁わく１を囲繞して両側の締結プレ−ト３４に各々締結せしめるべく所要の開口幅を備えたナット３７付きＵボルト３６とより構成されてなることを特徴とする、梁わく用取付け金具を要旨とするものである。
【００１１】
そして、この発明に係る梁わく用取付け金具３１は、掛止体３２を建わく２の脚柱８と横架材９との連結部位に掛止せしめると共に、受体３３に梁わく１の端部を嵌合保持せしめる。しかるのち、掛止体３２及び脚柱８と共に梁わく１の端部をＵボルト３６でもって囲繞せしめつつナット３７を介して締結プレ−ト３４に締結せしめ、掛止体３２と受体３３とＵボルト３６とが協同して脚柱８に梁わく１を取付けるものである。
【００１２】
【発明の実施の形態】
以下に、この発明を図面に示す一実施例について説明する。
３１は梁わく用取付け金具、３２は該取付け金具３１を構成する略Ｕ字形状の建わく用掛止体で、該掛止体３２は建わく２の脚柱８に掛止せしめるべく所要の径と長さを有する丸棒鋼材を折曲することにより形成されている。３３は掛止体３２のＵ字形部分がなす平面に直交する２平面上に両自由端を各々略Ｕ字形状に折曲して一体形成された両側一対の梁わく用受体、３４は該受体３３の自由端がわ外面に固着された両側一対のボルト挿通孔３５付き締結プレ−トである。３６はボルト挿通孔３５を通して掛止体３２及び脚柱８と共に梁わく１端部を囲繞しつつ締結プレ−ト３４に締結せしめるナット３７付きＵボルトである。
【００１３】
上述の如く構成された取付け金具３１は、掛止体３２を建わく２の脚柱８と横架材９との連結部位に引掛けて掛止せしめると共に、受体３３に梁わく１の端部を嵌合保持せしめる。このさい、掛止体３２は丸棒鋼材により略Ｕ字形状に折曲形成されているため、小スペ−ス下に掛止せしめることができ、ひいては、床付き布わく４の取付けや連結用ア−ムロックレスピン５におけるロック解除ハンドル１０のロック解除操作を邪魔することなく
、梁わく１を自由に取付けることが出来る。次いで、掛止体３２及び脚柱８と共に梁わく１の端部をＵボルト３６でもって囲繞せしめると共に、Ｕボルト３６の両端部を各々ボルト挿通孔３５に挿通せしめ、のち、ナット３７を螺合して締結プレ−ト３４に締結せしめ
、掛止体３２と受体３３とＵボルト３６とが協同して脚柱８に梁わく１を取付けるものである（図２参照）。このさい、掛止体３２および受体３３は丸棒鋼材により折曲形成されているため、丸棒鋼材自体の弾性機能とも相まって締結を極めて強固に行うことができ、確実なる取付けを常に行うことが出来るものである。
【００１４】
なお、上記実施例において、棒鋼材として丸鋼が示されているが、これに限定されるものでなく、平鋼、角鋼、六角鋼、八角鋼、あるいは半丸鋼等の棒鋼材を使用してもよいものである。
【００１５】
【発明の効果】
この発明は上述のように構成されているから、以下の効果を奏する。
まず第１に、掛止体３２を建わく２の脚柱８と横架材９との連結部位に掛止せしめると共に、受体３３に梁わく１の端部を嵌合保持せしめ、しかるのち、掛止体３２及び脚柱８と共に梁わく１の端部をＵボルト３６でもって囲繞せしめつつナット３７を介して締結プレ−ト３４に締結せしめるものであって、常に掛止体３２と受体３３とＵボルト３６とが協同して脚柱８に梁わく１を確実、かつ強固に取付けることが出来るものである。
第２に、棒鋼材を折曲することにより建わく用掛止体３２および梁わく用受体３３が一体形成されているから、板金加工により形成された従来例に比して、その製作が極めて容易で安価に提供することが出来るのみならず、非常に軽量で持ち運びや取扱いが極めて至便である。
第３に、掛止体３２は上述の如く棒鋼材を略Ｕ字形状に折曲することにより形成されているから、建わく２を構成する脚柱８と横架材９との連結部位に小スペ−スでもって引掛け状に掛止することが出来るものであって、ひいては、床付き布わく４の取付けや連結用ア−ムロックレスピン５におけるロック解除ハンドル１０の解除操作を邪魔することなく常に梁わく１を自由に取付けることが出来るものである。
第４に、Ｕボルト３６でもって締結せしめるさいにおいても、掛止体３２や受体３３が棒鋼材により折曲形成されているため、棒鋼材自体の弾性機能を有効に発揮せしめつつ締結を極めて強固に行うことができ、常に安全性の高い取付けを確実に行うことが出来るものである。
【図面の簡単な説明】
【図１】  この発明の一実施例を示す斜視図である。
【図２】  同使用状態を示す断面図である。
【図３】  仮設足場の構築状態を示す斜視図である。
【図４】  従来の梁わく用取付け金具１１を示す斜視図である。
【図５】  同使用状態を示す断面図である。
【図６】  建わく２を連結用ア−ムロックレスピン５により連結せしめた状態を示す断面図である。
【図７】  従来の他の梁わく用取付け金具２１を示す斜視図である。
【図８】  同使用状態を示す断面図である。
【符号の説明】
１    梁わく
２    建わく
８    脚柱
３１  梁わく用取付け金具
３２  建わく用掛止体
３３  梁わく用受体
３４ 締結プレ−ト
３５ ボルト挿通孔
３６  Ｕボルト
３７  ナット
【図１】
0003819477.tif 000002
【図２】
0003819477.tif 000003
【図３】
0003819477.tif 000004
【図４】
0003819477.tif 000005
【図５】
0003819477.tif 000006
【図６】
0003819477.tif 000007
【図７】
0003819477.tif 000008
【図８】
0003819477.tif 000009